(57)【特許請求の範囲】
【請求項１】
被写体を撮像して画像データを取得する撮像手段と、
前記撮像手段により取得された画像データに基づく画像を表示する表示手段と、
少なくとも前記表示手段の表示画像における被写体の動き情報および背景の動き情報を検出する動き検出手段と、
前記動き検出手段の検出結果に基づいて流し撮り状態であるか否かを判定する判定手段と、
前記判定手段により流し撮り状態でないと判定された場合、前記動き検出手段の検出結果に基づく露出制御を行うとともに、流し撮り状態であると判定された場合、前記動き検出手段の検出結果に基づく露出制御を行わない露出制御手段と、を有することを特徴とする撮像装置。
【請求項２】
前記動き検出手段は、前記撮像装置の動き情報を検出し、
前記判定手段は、前記被写体の動き情報、前記背景の動き情報、および前記撮像装置の動き情報に基づいて流し撮り状態であるか否かを判定することを特徴とする請求項１に記載の撮像装置。
【請求項３】
前記露出制御手段は、前記判定手段により流し撮り状態でないと判定された場合、前記動き検出手段の検出結果に基づいて、シャッタースピード、絞り値、およびゲイン値のうち少なくとも１つを設定して露出制御を行うことを特徴とする請求項１または２に記載の撮像装置。
【請求項４】
前記露出制御手段は、前記被写体の動き情報に基づく当該被写体の動き量または前記背景の動き情報に基づく当該背景の動き量が大きいほどシャッタースピードを速くすることを特徴とする請求項３に記載の撮像装置。
【請求項５】
前記判定手段は、前記表示画像において前記背景の動き情報に基づく当該背景の動き量が所定値以上であって前記被写体の動き情報に基づく当該被写体の動き量が所定値よりも小さい場合、流し撮り状態であると判定することを特徴とする請求項１ないし４のいずれか１項に記載の撮像装置。
【請求項６】
前記判定手段は、前記表示画像において前記背景の動き情報に基づく当該背景の動き量が所定値以上であって前記被写体の動き情報に基づく当該被写体の動き量が所定値よりも小さく、かつ、前記撮像装置の動き情報に基づく当該撮像装置の動き方向が略一定の場合、流し撮り状態であると判定することを特徴とする請求項２に記載の撮像装置。
【請求項７】
被写体を撮像して画像データを取得する撮像手段と、
前記撮像手段により取得された画像データに基づく画像を表示する表示手段と、
少なくとも前記表示手段の表示画像における被写体の動き情報および背景の動き情報を検出する動き検出手段と、
少なくとも流し撮りモードを含む複数の撮影モードから任意の撮影モードを設定する撮影モード設定手段と、
前記撮影モード設定手段により流し撮りモードが設定されていない場合、前記動き検出手段の検出結果に基づく露出制御を行うとともに、流し撮りモードが設定されている場合、前記動き検出手段の検出結果に基づく露出制御を行わない露出制御手段と、を有することを特徴とする撮像装置。
【請求項８】
手ぶれの補正を行う手ぶれ補正手段を有し、
前記手ぶれ補正手段は、前記判定手段により流し撮り状態であると判定された場合、手ぶれ補正を行うことを特徴とする請求項７に記載の撮像装置。
【請求項９】
前記手ぶれ補正手段は、前記判定手段により流し撮り状態であると判定された場合、流し撮り状態ではない場合よりも補正量を抑えた手ぶれ補正を行うことを特徴とする請求項８に記載の撮像装置。
【請求項１０】
被写体を撮像して画像データを取得する撮像手段と、前記撮像手段により取得された画像データに基づく画像を表示する表示手段と、を有する撮像装置の制御方法であって、
少なくとも前記表示手段の表示画像における被写体の動き情報および背景の動き情報を検出する動き検出ステップと、
前記動き検出ステップの検出結果に基づいて流し撮り状態であるか否かを判定する判定ステップと、
前記判定ステップで流し撮り状態でないと判定された場合、前記動き検出ステップの検出結果に基づく露出制御を行うとともに、流し撮り状態であると判定された場合、前記動き検出ステップの検出結果に基づく露出制御を行わない露出制御ステップと、を有することを特徴とする撮像装置の制御方法。
【請求項１１】
被写体を撮像して画像データを取得する撮像手段と、前記撮像手段により取得された画像データに基づく画像を表示する表示手段と、を有する撮像装置の制御方法であって、
少なくとも前記表示手段の表示画像における被写体の動き情報および背景の動き情報を検出する動き検出ステップと、
少なくとも流し撮りモードを含む複数の撮影モードから任意の撮影モードを設定する撮影モード設定ステップと、
前記撮影モード設定ステップで流し撮りモードが設定されていない場合、前記動き検出ステップの検出結果に基づく露出制御を行うとともに、流し撮りモードが設定されている場合、前記動き検出ステップの検出結果に基づく露出制御を行わないことを特徴とする撮像装置の制御方法。
【発明の詳細な説明】
【技術分野】
【０００１】
本発明は、撮像装置及びその制御方法に関し、更に詳しくは、被写体の動き量を検出することが可能な撮像装置の撮像制御に関する。
【背景技術】
【０００２】
従来、撮像装置において、撮像して得られた画像データに基づいて被写体領域を検出し、検出された領域が適正な露出になるように露出制御を行ったり、検出された領域に合焦するように焦点制御を行ったりする撮像装置がある（特許文献１参照）。
【０００３】
また、被写体のぶれを防ぐために被写体の動き情報を検出し、ぶれの影響を逓減できるように露出値を調節する撮像装置がある。この撮像装置では、画面全体の動き量を見て、動きがある場合はシャッタースピードを早く、動きが無い場合にはシャッタースピードを遅くする、といった制御を行うことで、ぶれの影響を逓減している（特許文献２）。
【特許文献１】特開２００３−１０７５６７号公報
【特許文献２】特開２００７−２４３２５０号公報
【発明の開示】
【発明が解決しようとする課題】
【０００４】
上記特許文献２に開示の発明では、背景が静止している画像を撮影したい場合には好適な画像を撮影することが可能である。
【０００５】
しかしながら、背景が流れている画像を撮影したい場合（所謂、流し撮り時）には、背景の流れも止めてしまうため、意図する画像が撮影できないという問題があった。
【０００６】
図３は、動き検出を用いてぶれを逓減させる露出制御を行った際の弊害について説明した図である。
【０００７】
例えば、上記特許文献２に開示の発明において、動きを検出した場合、図３（ａ）に示すように被写体がぶれている画像に関しては、人物を静止させることが可能である。
【０００８】
しかし、図３（ｂ）に示すように、人物は静止した状態、且つ、背景は流れた状態、において撮影したい場合（流し撮り撮影時）では、背景が流れた状態で撮影したいにもかかわらず、背景の流れがなくなるように露出制御が行われる。
【０００９】
本発明は、上記問題に鑑みてなされたものであり、動き情報を取得して、現在行われている撮影が流し撮り状態か否かを判定し、判定結果に応じて露出制御を変更することでユーザーの意図する撮影を可能とする。
【課題を解決するための手段】
【００１０】
上記目的を達成するために、本発明の撮像装置は、被写体を撮像して画像データを取得する撮像手段と、前記撮像手段により取得された画像データに基づく画像を表示する表示手段と、少なくとも前記表示手段の表示画像における被写体の動き情報および背景の動き情報を検出する動き検出手段と、前記動き検出手段の検出結果に基づいて流し撮り状態であるか否かを判定する判定手段と、前記判定手段により流し撮り状態でないと判定された場合、前記動き検出手段の検出結果に基づく露出制御を行うとともに、流し撮り状態であると判定された場合、前記動き検出手段の検出結果に基づく露出制御を行わない露出制御手段と、を有することを特徴とする。
【００１１】
また、上記目的を達成するために、本発明の撮像装置は、被写体を撮像して画像データを取得する撮像手段と、前記撮像手段により取得された画像データに基づく画像を表示する表示手段と、少なくとも前記表示手段の表示画像における被写体の動き情報および背景の動き情報を検出する動き検出手段と、少なくとも流し撮りモードを含む複数の撮影モードから任意の撮影モードを設定する撮影モード設定手段と、前記撮影モード設定手段により流し撮りモードが設定されていない場合、前記動き検出手段の検出結果に基づく露出制御を行うとともに、流し撮りモードが設定されている場合、前記動き検出手段の検出結果に基づく露出制御を行わない露出制御手段と、を有することを特徴とする。
【００１２】
また、上記目的を達成するために、本発明の撮像装置の制御方法は、被写体を撮像して画像データを取得する撮像手段と、前記撮像手段により取得された画像データに基づく画像を表示する表示手段と、を有する撮像装置の制御方法であって、少なくとも前記表示手段の表示画像における被写体の動き情報および背景の動き情報を検出する動き検出ステップと、前記動き検出ステップの検出結果に基づいて流し撮り状態であるか否かを判定する判定ステップと、前記判定ステップで流し撮り状態でないと判定された場合、前記動き検出ステップの検出結果に基づく露出制御を行うとともに、流し撮り状態であると判定された場合、前記動き検出ステップの検出結果に基づく露出制御を行わない露出制御ステップと、を有することを特徴とする。
【００１３】
また、上記目的を達成するために、本発明の撮像装置の制御方法は、被写体を撮像して画像データを取得する撮像手段と、前記撮像手段により取得された画像データに基づく画像を表示する表示手段と、を有する撮像装置の制御方法であって、少なくとも前記表示手段の表示画像における被写体の動き情報および背景の動き情報を検出する動き検出ステップと、少なくとも流し撮りモードを含む複数の撮影モードから任意の撮影モードを設定する撮影モード設定ステップと、前記撮影モード設定ステップで流し撮りモードが設定されていない場合、前記動き検出ステップの検出結果に基づく露出制御を行うとともに、流し撮りモードが設定されている場合、前記動き検出ステップの検出結果に基づく露出制御を行わないことを特徴とする。
【発明の効果】
【００１４】
本発明によれば、流し撮り状態であるか否かを判定し、判定結果に応じた露出制御を行うことでユーザーの意図する撮影を可能とする。
【発明を実施するための最良の形態】
【００１５】
以下、本発明に係る一実施形態について図面を参照して詳細に説明する。
【００１６】
なお、以下に説明する実施形態は、本発明を実現するための一例であり、本発明が適用される装置の構成や各種条件によって適宜修正又は変更されるべきものであり、本発明は以下の実施形態に限定されるものではない。
【００１７】
＜第１の実施形態＞
本実施形態では、撮像装置としてデジタルカメラを用いた場合について説明する。
【００１８】
図１は、本実施形態に係る撮像装置１００の機能構成を示すブロック図である。
【００１９】
１０１は、撮像装置１００の操作者が撮像装置１００に対して各種の指示を入力するために操作するスイッチやボタンなどにより構成されている操作部である。
【００２０】
１０２は、同図に示す各部の動作を制御するものであり、操作部１０１からの指示に応じて各部を制御する制御部である。
【００２１】
なお、操作部１０１の中には、シャッタースイッチも含まれており、このシャッタースイッチが半押しの場合には、信号ＳＷ１が操作部１０１から制御部１０２に対して通知される。
【００２２】
また、シャッタースイッチが全押しされている場合には、信号ＳＷ２が操作部１０１から制御部１０２に対して通知される。
【００２３】
１０３は、光電変換機能を備えたＣＣＤセンサやＣＭＯＳセンサ等の撮像素子で、レンズ１０８ａ、露出機構１０９ａを介して入射される光を受け、その光量に応じた電荷を出力する。１０８は、被写体にピントを合わせるべくレンズ１０８ａを動作させるＡＦ処理部であり、１０９は画面が最適な露出になるように露出機構１０９ａを制御するＡＥ処理部である。
【００２４】
１０４は、撮像素子１０３から出力されたアナログ画像信号に対して、サンプリング、ゲイン調整、Ａ／Ｄ変換等を行い、デジタル画像信号として出力するＡ／Ｄ変換部である。
【００２５】
１０５は、Ａ／Ｄ変換部１０４から出力されたデジタル画像信号に対して各種の画像処理を行い、処理済みのデジタル画像信号を出力する画像処理部である。画像処理部１０５は、例えば、Ａ／Ｄ変換部１０４から受けたデジタル画像信号を、ＹＵＶ画像信号に変換して出力する。
【００２６】
１０６は、Ａ／Ｄ変換部１０４から受けたデジタル画像信号から、被写体領域の検出を行い、この被写体領域に係る情報を制御部１０２に通知する被写体検出部である。この被写体検出によって得られる情報には、撮像画像における被写体の位置情報、信頼度情報（被写体の形としての確からしさ）などがある。
【００２７】
また、１１５は、撮像画面内（背景及び被写体）に動きがあるか否かを判別し、その位置、動きの範囲、動き量等の動き情報を算出する動き検出部である。動き検出部１１５においては角速度センサを用いて撮像装置１００自体の動き量等の動き情報も算出する。また、被写体検出部１０６の出力に基づき背景の動き情報と被写体（背景以外）の動き情報をそれぞれ算出することが可能である。
【００２８】
１１６は、上述した背景の動き情報、被写体（背景以外）の動き情報、撮像装置１００の動き情報を用いて、流し撮り撮影を行っているか否かを判定する流し撮り判定部である。
【００２９】
また、制御部１０２において、フラッシュが必要と判断した場合には、ＥＦ処理部１１０に、フラッシュオンを指示する。ＥＦ処理部１１０は、フラッシュオンの指示を受けると、フラッシュ部１１１を制御し、フラッシュ部１１１を発光させる。
【００３０】
１０７は、液晶画面などにより構成されており、画像処理部１０５による処理済みの画像データに基づいた画像を表示する表示部である。
【００３１】
１１２は、画像処理部１０５から出力されたデジタル画像信号の圧縮方式をＪＰＥＧなどの圧縮方式に変換し、画像記録部１１３に出力する圧縮方式変換部である。
【００３２】
画像記録部１１３は、圧縮方式変換部１１２から受けた圧縮方式変換済みのデジタル画像信号を、撮像装置１００内の不図示のメモリや、撮像装置１００に挿入されている外部メモリなどに記録する処理を行う。
【００３３】
１１４は、撮像装置１００をＰＣ（パーソナルコンピュータ）やプリンタといった外部装置に接続するためのインターフェースとして機能する外部接続部である。
【００３４】
次に、撮像装置１００を用いて撮像を行う場合の、撮像装置１００における動作について説明する。
【００３５】
まず、撮像装置１００の操作者が、操作部１０１に含まれている電源スイッチをオンにすると、制御部１０２はこれを検知し、撮像装置１００を構成する各部に電源を供給する。
【００３６】
撮像装置１００を構成する各部に電源が供給されると不図示のシャッターが開くので、撮像素子１０３には、レンズ１０８ａ、露出機構１０９ａを介して光が入光することになる。そして、撮像素子１０３に溜まった電荷を読み出し、Ａ／Ｄ変換部１０４にアナログ画像信号として出力する。
【００３７】
Ａ／Ｄ変換部１０４は、撮像素子１０３から出力されたアナログ画像信号に対して、サンプリング、ゲイン調整、Ａ／Ｄ変換等を行い、デジタル画像信号として出力する。
【００３８】
次に、画像処理部１０５は、Ａ／Ｄ変換部１０４から出力されたデジタル画像信号に対して各種画像処理を行い、処理済みのデジタル画像信号を出力する。
【００３９】
次に、被写体検出部１０６は、Ａ／Ｄ変換部１０４から受けたデジタル画像信号が示す撮像画像から、被写体領域を検出し、検出した被写体領域の位置や信頼度情報など、被写体領域に係る情報（被写体情報）を制御部１０２に通知する。
【００４０】
さらに、被写体検出部１０６で処理されたデジタル画像信号は動き検出部１１５に渡され、動き情報の検出を行う。
【００４１】
本実施形態では、時系列的に得られた２枚の画像（現在の撮像画像と、それよりも前に撮影された画像）、を比較し、その差分情報から被写体及び背景の動き情報（位置、動きの範囲、動き量）を検出する。
【００４２】
なお、被写体及び背景を切り分ける手段の一つとして、被写体検出部１０６により検出された被写体領域に関する情報を用いる。また、上述した動き情報には、角速度センサから得られる撮像装置１００の動き量等の動き情報も含まれる。
【００４３】
次に、流し撮り判定部１１６は、上述した動き情報に基づき、現在行われている撮影が流し撮り状態か否かを判定する。
【００４４】
流し撮り判定部１１６が、現在行われている撮影が、流し撮り状態であると判定しなかった場合には、動き量に応じて本露光時の露出制御値の変更を行う。
【００４５】
流し撮り判定部１１６が、現在行われている撮影が、流し撮り状態であると判定した場合には、本露光時の露出制御値の変更を行わない。
【００４６】
なお、ここでいう本露光とは、シャッタースイッチが全押しされた後に行われる露光のことである。
【００４７】
次に、画像処理部１０５は、Ａ／Ｄ変換部１０４から出力されたデジタル画像信号に対して各種画像処理を行い、処理済みのデジタル画像信号を出力する。
【００４８】
また、画像処理部１０５は、処理済みのデジタル画像信号を表示部１０７に出力し、表示部１０７に、この処理済みのデジタル画像信号に基づいた画像を表示する。
【００４９】
そして、操作部１０１から制御部１０２に対して信号ＳＷ１が通知（即ち、シャッタースイッチの半押しの通知）されない限りは、上述した処理を繰り返す。
【００５０】
一方、操作部１０１から制御部１０２に対して信号ＳＷ１が通知されると、その時点における画像を用いＡＦ、ＡＥ処理を行い、撮影に最適な合焦状態、及び、露出設定条件を取得する。
【００５１】
そして、操作部１０１から制御部１０２に対して信号ＳＷ２が通知（即ち、シャッタースイッチの全押しの通知）されない限りは、ＳＷ１前の処理を繰り返す。
【００５２】
一方、操作部１０１から制御部１０２に対して信号ＳＷ２が通知されると、制御部１０２は、フラッシュを発光するか否かの判断を行う。
【００５３】
なお、フラッシュを発光するか否かは、操作部１０１を用いて予め設定しておき、その設定データを読み取ることで判断するようにしても良いし、また撮像画像の明るさを検知しその明るさに基づき判断するようにしても良い。
【００５４】
制御部１０２が、フラッシュを発光すると判断した場合には、制御部１０２はＥＦ処理部１１０を制御し、フラッシュ部１１１にプリ発光を行わせ、発光量の算出や撮像画像におけるフラッシュの重み付けなどの処理を行う。
【００５５】
そして、制御部１０２は、プリ発光を行うことにより算出された本発光量でフラッシュ部１１１を発光させる。そして、フラッシュを伴った撮影を行う。
【００５６】
制御部１０２が、フラッシュを発光しないと判断した場合には、上述したような発光量の演算は無しに以下の処理に移行する。
【００５７】
被写界からの入射光がレンズ１０８ａ、露出機構１０９ａを介して撮像素子１０３に入射するので、撮像素子１０３を構成する不図示の光電変換素子３０１には、入射した光の光量に応じた電荷が溜まる。そして、撮像素子１０３に溜まった電荷を読み出し、Ａ／Ｄ変換部１０４にアナログ画像信号として出力する。
【００５８】
Ａ／Ｄ変換部１０４は、撮像素子１０３から出力されたアナログ画像信号に対して、サンプリング、ゲイン調整、Ａ／Ｄ変換等を行い、デジタル画像信号として出力する。
【００５９】
次に、画像処理部１０５は、Ａ／Ｄ変換部１０４から出力されたデジタル画像信号に対して各種の画像処理を行い、処理済みのデジタル画像信号を出力する。
【００６０】
圧縮方式変換部１１２は、画像処理部１０５から出力されたデジタル画像信号の圧縮方式をＪＰＥＧなどの圧縮方式に変換し、画像記録部１１３に出力する。画像記録部１１３は、圧縮方式変換された画像データを所定のメモリに記録する処理を行う。
【００６１】
以上説明した処理により、現在行われている撮影が、流し撮り状態であるか否かを判定し、判定結果に応じた適切な露出制御を行うことでユーザーの意図する撮影を可能とする。
【００６２】
次に、動き検出を用いた流し撮り判定の制御について説明する。
【００６３】
図２は、動き検出を用いた流し撮り判定についてのフローチャートである。
【００６４】
撮像装置の電源がＯＮされて、撮像処理が開始されるとステップＳ２０１から始まる処理を始める。
【００６５】
ステップＳ２０１では、現状の露出制御値を取得する。なお、ここでいう露出制御値とは、絞り値、シャッタースピード値、ゲイン値のことである。
【００６６】
ステップＳ２０２では、ステップＳ２０１にて取得した露出制御値にて、露光を行う。
【００６７】
ステップＳ２０３では、ステップＳ２０２にて露光を行った結果得られた画像を読み出し、画像処理部１０５にて、所定の画像処理を施し、表示部１０７に逐次表示することによりライブビュー機能を実現できる。
【００６８】
ステップＳ２０４では、被写体検出部１０６は、ステップＳ２０３にて表示部１０７に表示されている画像の中から被写体領域を検出し、撮像画像における位置情報や信頼度情報を取得する。
【００６９】
ステップＳ２０５では、動き検出部１１５は、時系列的に得られた２枚の画像（現在の撮像画像と、それよりも前に撮影された画像）を比較し、動きの検出を行う。例えば、前回検出した画像１を保持しておき、今回新たに画像２を取得する。ステップＳ２０４で行われた被写体検出により被写体領域の位置情報が分かっている場合には、これを含む任意の領域を比較領域とし、画像１と画像２の部分的な差分をとる。
【００７０】
そして、被写体検出により求められた被写体領域の位置情報を用いて画像間の動き量との差分をとることで、背景の動き情報と被写体領域の動き情報を別途求める。
【００７１】
ステップＳ２０６では、動き検出部１１５は、角速度センサから撮像装置１００自体の動き情報を求める。
【００７２】
ステップＳ２０７では、流し撮り判定部１１６は、ステップＳ２０６にて得られた動き情報から、撮像装置１００自体の動き方向が一定であるか否かを判定する。
【００７３】
ステップＳ２０７にて、流し撮り判定部１１６は、撮像装置１００自体の動き方向が一定でないと判定すると、流し撮り状態ではないと判定し、処理をステップＳ２１１へ進める。
【００７４】
ステップＳ２０７にて、流し撮り判定部１１６は、撮像装置１００自体の動き方向が一定であると判定すると、処理をステップＳ２０８へ進める。なお、本実施形態においては、撮像装置１００自体の動き方向が一定であるか否かについての判定を行っているがこれに限らず、流し撮りの特徴となる一定パターンの動作が含まれているか否かについて判定するようにしてもよい。
【００７５】
ステップＳ２０８では、流し撮り判定部１１６は、ステップＳ２０５にて得られた背景の動き情報から、背景に動きがあるか否かを判定する。
【００７６】
ステップＳ２０８にて、流し撮り判定部１１６は、背景に動きがないと判定すると、流し撮り状態ではないと判定し、処理をステップＳ２１１へ進める。
【００７７】
ステップＳ２０８にて、流し撮り判定部１１６は、背景に動きがあると判定すると、処理をステップＳ２０９へ進める。
【００７８】
なお、ステップＳ２０８において、背景に動きがあるか否かを判定しているが、僅かに動いているような場合は、動きは無かったものとみなすような判定基準を設定することが望ましい。
【００７９】
ステップＳ２０９では、流し撮り判定部１１６は、ステップＳ２０５にて得られた被写体領域の動き情報から、被写体の動き量が予め設定された値よりも小さいか否かを判定する。
【００８０】
ステップＳ２０９にて、流し撮り判定部１１６は、被写体の動き量が予め設定された値よりも小さくないと判定すると、流し撮り状態ではないと判定し、処理をステップＳ２１１へ進める。
【００８１】
ステップＳ２０９にて、流し撮り判定部１１６は、被写体の動き量が予め設定された値ＴＨよりも小さいと判定すると、処理をステップＳ２１０へ進める。
【００８２】
ステップＳ２１０では、流し撮り判定部１１６は、現在の撮像画像は流し撮り状態において撮像された画像であると判定し、ステップＳ２０１にて取得した露出制御値を露出制御値として設定する。つまり、流し撮り判定部１１６が、現在の撮像画像が流し撮り状態において撮像された画像であると判定した場合は、動き検出の結果に基づいた被写体ぶれを抑えるような露出制御値の設定は行わない。
【００８３】
ステップＳ２１１では、流し撮り判定部１１６は、現在の撮像画像は流し撮り状態において撮像された画像ではないと判定し、動き検出部１１５が検出した動き情報に基づいて露出制御値を設定する。つまり、流し撮り判定部１１６が、現在の撮像画像は流し撮り状態において撮像された画像ではないと判定した場合は、動き検出部１１５の検出結果に基づき、被写体ぶれを抑えるような露出制御値の設定を行う。
【００８４】
ステップＳ２１２では、信号ＳＷ１が操作部１０１から制御部１０２に対して通知されたか否かの判定を行う。
【００８５】
ステップＳ２１２にて、信号ＳＷ１が操作部１０１から制御部１０２に対して通知された場合は、処理をステップＳ２１３へ進める。
【００８６】
ステップＳ２１２にて、信号ＳＷ１が操作部１０１から制御部１０２に対して通知されなければ、ステップＳ２０２からの処理を繰り返す。
【００８７】
ステップＳ２１３では、被写体検出部１０６によって検出された被写体情報に基づき、検出された被写体の露出状態が好適になるように、ＡＥ制御を行う。
【００８８】
ステップＳ２１４では、被写体検出部１０６によって検出された被写体情報に基づき、検出された被写体の合焦状態が好適になるように、ＡＦ制御を行う。なお、被写体検出の結果、複数の被写体が検出された際には、全部の被写体が好適となるように上述のＡＥ及びＡＦ制御を行ってもよいし、被写体ごとに重み付けを行ってＡＥ及びＡＦ制御を行うようにしてもよい。
【００８９】
ステップＳ２１５では、信号ＳＷ２が操作部１０１から制御部１０２に対して通知されたか否かの判定を行う。
【００９０】
ステップＳ２１５にて、ステップＳ２１４にてＡＦ制御が行われてから所定時間以内に、信号ＳＷ２が操作部１０１から制御部１０２に対して通知された場合は、処理をステップＳ２１６へ進める。
【００９１】
ステップＳ２１５にて、ステップＳ２１４にてＡＦ制御が行われてから所定時間以内に、信号ＳＷ２が操作部１０１から制御部１０２に対して通知されなければ、処理をステップＳ２１２に戻す。
【００９２】
ここで、ステップＳ２１４にてＡＦ制御が行われてから信号ＳＷ２が操作部１０１から制御部１０２に対して通知されるまでの経過時間に応じて処理を変えているのは以下の理由からである。
【００９３】
これは、ＡＦ制御が行われてから、ある程度時間が経ってもＳＷ２状態に移行しない場合は、シーンが変化していることが考えられるため、再びステップＳ２１３及びステップＳ２１４の処理を行う方が好適な撮影を行うことができると考えられるからである。
【００９４】
ステップＳ２１６では、ステップＳ２１３及びステップＳ２１４にて決定されたＡＥ制御値とＡＦ制御値にて本露光を行い処理を終了する。
【００９５】
なお、本実施形態では、流し撮り状態であるか否かを、撮像装置の動き方向、背景の動きの有無、被写体の動き量、によって判断しているが、必ずしもこれらの条件全てを判定する必要は無い。
【００９６】
少なくとも、背景の動きの有無と被写体の動き量の関係がわかれば、流し撮り状態か否かは判定できる。
【００９７】
以上、説明したように、現在行われている撮影が、流し撮り状態であるか否かを判定し、判定結果に応じた露出制御を行うことでユーザーの意図する撮影を可能にしている。
【００９８】
＜第２の実施形態＞
以下、本発明の第２の実施形態について説明する。なお、撮像装置の構成について第１の実施形態と同様の構成については説明を割愛する。
【００９９】
第１の実施形態では、流し撮り判定部１１６を設けて、現在行われている撮影が流し撮り状態か否かを判定したが、本実施形態では、流し撮りモードを備える撮像装置において、流し撮りモードが設定されているか否かを判定している点が異なる。
【０１００】
図４は、本実施形態に係る撮像装置４００の機能構成を示すブロック図である。撮像装置４００において、第１の実施形態における撮像装置１００と異なるのは、流し撮りモード設定部４１６のみである。
【０１０１】
流し撮りモード設定部４１６では、撮影モードとして流し撮り用の撮影モードである流し撮りモードを設定する。なお、流し撮りモードとは、撮像画像が流れやすい画像となるように露出制御値を制御する（シャッタースピードを下げる、絞りを絞る、又はゲインを下げる）撮影モードのことである。
【０１０２】
本実施形態においては、流し撮りモードが設定されている際には、動き検出による流し撮りを阻害する露出制御を防止し、流し撮り状態でないときよりも補正量を抑えた手ブレ補正を行う。
【０１０３】
これは、流し撮りの際には、撮像装置を被写体に沿って動かすので、手ぶれが発生しやすくなるため、手ぶれ補正制御を行うことで手ぶれの影響を逓減することで、より好適な撮影が可能になるからである。
【０１０４】
また、動き検出の結果、シーンに動きがあると判定された場合に、動きの影響を受けないように、シャッタースピードを上げる、絞りを閉じる、又はゲインを上げるといった露出制御をおこなうと、流し撮りの効果を得ることができない。
【０１０５】
そのため、本実施形態においては、流し撮りモードが設定されている際は、動き検出によりシーンに動きが検出された場合でも、シャッタースピードを上げる、絞りを閉じる、又はゲインを上げるといった露出制御をおこなわないようにする。
【０１０６】
次に、動き検出を用いた流し撮り判定の制御について説明する。
【０１０７】
図５は、動き検出を用いた流し撮り判定についてのフローチャートである。本フローチャートにおいて、第１の実施形態と異なるのは、ステップＳ５０４〜ステップＳ５０６の処理であるので、これらの処理についての説明を行う。
【０１０８】
ステップＳ５０４では、制御部１０２が、現在、撮像装置４００に設定されている撮影モードが流し撮りモードであるか否かの判定を行う。
【０１０９】
ステップＳ５０４にて、制御部１０２が、現在、撮像装置４００に設定されている撮影モードが流し撮りモードであると判定すると、処理をステップＳ５０５に進め、ステップＳ２０１にて取得した露出制御値を露出制御値として設定する。つまり、制御部１０２が、現在、撮像装置４００に設定されている撮影モードが流し撮りモードであると判定すると、動き検出の結果に基づいた被写体ぶれを抑えるような露出制御値の設定は行わない。
【０１１０】
ステップＳ５０４にて、制御部１０２が、現在、撮像装置４００に設定されている撮影モードが流し撮りモードでないと判定すると、処理をステップＳ５０６に進め、動き検出部１１５が検出した動き情報に基づいて露出制御値を設定する。つまり、流し撮り判定部１１６が、撮像装置４００に設定されている撮影モードが流し撮りモードでないと判定すると、動き検出部１１５の検出結果に基づき、被写体ぶれを抑えるような露出制御値の設定を行う。
【０１１１】
なお、本実施形態において、撮像モード設定手段として、不図示のモードダイアルを操作することで設定可能な構成としても良いし、メニュー画面から流し撮りモードを選択して設定可能な構成としても良い。
【０１１２】
以上、説明したように、流し撮りモードを備える撮像装置において、流し撮りモードが設定されているか否かを判定し、判定結果に応じた露出制御を行うことでユーザーの意図する撮影を可能にしている。
【図面の簡単な説明】
【０１１３】
【図１】本発明の第１の実施形態に係る撮像装置１００の機能構成を示すブロック図である。
【図２】本発明の第１の実施形態における、動き検出を用いた流し撮り判定についてのフローチャートである。
【図３】動き検出を用いてぶれを逓減させる露出制御を行った際の弊害について説明した図である。
【図４】本発明の第２の実施形態に係る撮像装置４００の機能構成を示すブロック図である。
【図５】本発明の第２の実施形態における、動き検出を用いた流し撮り判定についてのフローチャートである。
【符号の説明】
【０１１４】
１００  撮像装置
１０１  操作部
１０２  制御部
１０３  撮像素子
１０４  Ａ／Ｄ変換部
１０５  画像処理部
１０６  被写体検出部
１０７  表示部
１０８  ＡＦ処理部
１０８ａ  レンズ
１０９  ＡＥ処理部
１０９ａ  メカ機構
１１０  ＥＦ処理部
１１１  フラッシュ部
１１２  圧縮方式変換部
１１３  画像記録部
１１４  外部接続部
１１５  動き検出部
１１６  流し撮り判定部
４００  撮像装置
４１６  流し撮りモード設定部
【図１】
0005065060.tif 000002
【図２】
0005065060.tif 000003
【図３】
0005065060.tif 000004
【図４】
0005065060.tif 000005
【図５】
0005065060.tif 000006